(57)【要約】【課題】各種のＯＡ機器に使用される接続コード・ケーブル類の余長部分を巻き取り可能とすることで、余計なスペースを取ることがなく、しかも、手足やその他の物を引っ掛けたりすることを未然に防止できるようにした簡易な構造で且つ安価なコード・ケーブル用リール装置を提供する。【解決手段】外部筒体２Ａと、外部筒体２Ａの両端開口側のそれぞれに一体形成された鍔部２Ｂとを有する外側リール部２と、該外側リール部２の一方の鍔部２Ｂ中央は前記外部筒体２Ａの開口部となって開放され、該開口部の内底面中央に内部筒体３Ａを立設して成る内側リール部３と、外側リール部２に巻かれた接続コード・ケーブル類Ｐを途中で内側リール部３に導入させてから内側リール部３に巻かれるよう、前記外側リール部２に穿設された割溝部４とを備える。【選択図】図４
0003115406.tif 000002
【実用新案登録請求の範囲】
【請求項１】
外部筒体と、外部筒体の両端開口側のそれぞれに一体形成された鍔部とを有する外側リール部と、該外側リール部の一方の鍔部中央は前記外部筒体の開口部となって開放され、該開口部の内底面中央に内部筒体を立設して成る内側リール部と、外側リール部に巻かれた接続コード・ケーブル類を途中で内側リール部に導入させてから内側リール部に巻かれるよう、前記外側リール部に穿設された割溝部とを備えて成ることを特徴とするコード・ケーブル用リール装置。
【請求項２】
接続コード・ケーブル類に挟着保持される割込挿入部を有し、該割込挿入部に接続コード・ケーブル類を挟着保持した状態で外側リール部、内側リール部に嵌合可能とした止め部材を含む請求項１に記載のコード・ケーブル用リール装置。
【請求項３】
止め部材の割込挿入部内には、接続コード・ケーブル類に対し非接触となるように余白空間を付与すると共に、接続コード・ケーブル類を割込挿入部の開口部両端で２点支持となるようにした請求項２に記載のコード・ケーブル用リール装置。
【請求項４】
外側リール部における両鍔部の相対向する周縁側、および内側リール部における内部筒体の開口側先端外周部とこれに対向する一方の鍔部の開口部内周縁側のそれぞれに、前記止め部材を係止させる環状の係止突起を備えた請求項１乃至３のいずれかに記載のコード・ケーブル用リール装置。
【請求項５】
内部筒体に複数の縦割溝を設け、内部筒体自体に可撓性を付与した請求項１乃至４のいずれかに記載のコード・ケーブル用リール装置。
【考案の詳細な説明】
【技術分野】
【０００１】
本考案は、例えば、電源接続コード、モジュラーケーブル、ＬＡＮケーブル、電源アダプターケーブル、イヤホンコード等の接続コード・ケーブル類の余長部分を巻き取って固定するために使用される、両端巻き取り・両端止め可能としたコード・ケーブル用リール装置に関するものである。
【背景技術】
【０００２】
各種のＯＡ機器に使用される、例えば、電源接続コード、モジュラーケーブル、ＬＡＮケーブル、電源アダプターケーブル、イヤホンコード等の接続コード・ケーブル類の接続状態において、接続コード・ケーブル類に余分な長さが残されている場合であっても、従来においては、これをそのままの状態で放置していた。
【特許文献１】特に無し
【考案の開示】
【考案が解決しようとする課題】
【０００３】
しかしながら、従来のように接続コード・ケーブル類の余長部分をそのままの状態で放置しておくと、この分だけ余計なスペースが取られてしまうと同時に、この余長部分に手足やその他の物を引っ掛けたりする等して非常に危険であった。
【０００４】
そこで、本考案は如上のような従来存した諸事情に鑑み創案されたもので、各種のＯＡ機器に使用される接続コード・ケーブル類の余長部分を巻き取り可能とすることで、余計なスペースを取ることがなく、しかも、手足やその他の物を引っ掛けたりすることを未然に防止できるようにした簡易な構造で且つ安価なコード・ケーブル用リール装置を提供することを目的とする。
【課題を解決するための手段】
【０００５】
上述した目的を達成するため、本考案にあっては、外部筒体と、外部筒体の両端開口側のそれぞれに一体形成された鍔部とを有する外側リール部と、該外側リール部の一方の鍔部中央は前記外部筒体の開口部となって開放され、該開口部の内底面中央に内部筒体を立設して成る内側リール部と、外側リール部に巻かれた接続コード・ケーブル類を途中で内側リール部に導入させてから内側リール部に巻かれるよう、前記外側リール部に穿設された割溝部とを備えて成ることによって、上述した課題を解決した。
【０００６】
また、接続コード・ケーブル類に挟着保持される割込挿入部を有し、該割込挿入部に接続コード・ケーブル類を挟着保持した状態で外側リール部、内側リール部に嵌合可能とした止め部材を含むことによって、同じく上述した課題を解決した。
【０００７】
さらに、止め部材の割込挿入部内には、接続コード・ケーブル類に対し非接触となるように余白空間を付与すると共に、接続コード・ケーブル類を割込挿入部の開口部両端で２点支持となるようにしたことによって、同じく上述した課題を解決した。
【０００８】
また、外側リール部における両鍔部の相対向する周縁側、および内側リール部における内部筒体の開口側先端外周部とこれに対向する一方の鍔部の開口部内周縁側のそれぞれに、前記止め部材を係止させる環状の係止突起を備えたことによって、同じく上述した課題を解決した。
【０００９】
加えて、内部筒体に複数の縦割溝を設け、内部筒体自体に可撓性を付与したことによって、同じく上述した課題を解決した。
【００１０】
本考案に係るコード・ケーブル用リール装置は、接続コード・ケーブル類の余長部分に相当した長さ部分の両端に止め部材を予め挟着保持させておき、この余長部分を外側リール部に途中まで巻き込み、割溝部を介して内側リール部に導入させてから内側リール部自体にさらに巻き込ませる。そして、外側リール部および内側リール部に止め部材を嵌合させることで、接続コード・ケーブル類の余長部分の両端を固定する。
【００１１】
このとき、止め部材の割込挿入部内の余白空間は、接続コード・ケーブル類に対し非接触状態とし、且つ接続コード・ケーブル類を割込挿入部の開口部両端で２点支持状態とする。しかも、接続コード・ケーブル類に対し挟着保持した状態で止め部材自体をスライド移動可能にする。
【００１２】
また、外側リール部における両鍔部の相対向する周縁側、および内側リール部における内部筒体の開口側先端外周部とこれに対向する一方の鍔部の開口部内周縁側のそれぞれに形成された環状の係止突起は、外側リール部と内側リール部からの止め部材の離脱を防止し、外側リール部と内側リール部に巻き込んだ接続コード・ケーブル類の解れを未然に防止する。
【００１３】
さらに、複数の縦割溝によって内部筒体に可撓性を付与したことで、内側リール部内への止め部材の嵌挿と、内側リール部内での止め部材の保持固定とが確実に行える。
【考案の効果】
【００１４】
本考案によれば、各種のＯＡ機器に使用される接続コード・ケーブル類の余長部分によって余計なスペースを取ることがなく、しかも、手足やその他の物を引っ掛けたりすることを未然に防止できるようにした簡易な構造で且つ安価なコード・ケーブル用リール装置を提供することができる。
【００１５】
これは本考案が、外部筒体と、外部筒体の両端開口側のそれぞれに一体形成された鍔部とを有する外側リール部と、該外側リール部の一方の鍔部中央は前記外部筒体の開口部となって開放され、該開口部の内底面中央に内部筒体を立設して成る内側リール部と、外側リール部に巻かれた接続コード・ケーブル類を途中で内側リール部に導入させてから内側リール部に巻かれるよう前記外側リール部に穿設された割溝部とを備えて成るからであり、これにより、接続コード・ケーブル類の余長部分を両端巻き取り・両端止め可能としたコード・ケーブル用リール装置を容易に作製することができる。
【００１６】
そして、接続コード・ケーブル類に挟着保持される割込挿入部を有し、該割込挿入部に接続コード・ケーブル類を挟着保持した状態で外側リール部、内側リール部に嵌合可能とした止め部材を含むので、接続コード・ケーブル類の余長部分を、外側リール部と内側リール部のそれぞれに両端巻き取り状に巻き取ってその両端をしっかりと固定しておくことができる。
【００１７】
このとき、止め部材の割込挿入部内には、接続コード・ケーブル類に対し非接触となるように余白空間を付与すると共に、接続コード・ケーブル類を割込挿入部の開口部両端で２点支持となるようにしたので、接続コード・ケーブル類に止め部材による圧搾・圧潰等の負荷が軽減されると共に、接続コード・ケーブル類に対し挟着保持した状態で止め部材自体を容易にスライド移動させることができる。
【００１８】
こうして、接続コード・ケーブル類の余長部分の長さの範囲内で巻き取り長さを任意に調整することができ、しかも、接続コード・ケーブル類の各種太さに自由に対応させることができる。
【００１９】
また、外側リール部における両鍔部の相対向する周縁側、および内側リール部における内部筒体の開口側先端外周部とこれに対向する一方の鍔部の開口部内周縁側のそれぞれに、前記止め部材を係止させる環状の係止突起を備えたので、外側リール部、内側リール部への止め部材の嵌挿が容易であり、しかも、外側リール部内、内側リール部内での止め部材の保持固定が確実に行えるものとなり、外側リール部、内側リール部に巻き込んだ接続コード・ケーブル類の解れを未然に防止することができる。
【００２０】
さらに、内部筒体に複数の縦割溝を設け、内部筒体自体に可撓性を付与したことで、内側リール部内への止め部材の嵌挿が容易となる。また、止め部材が内側リール部から不意に外れてしまうような事態の発生も確実に阻止できる。
【考案を実施するための最良の形態】
【００２１】
以下に、本考案を実施するための最良の形態を、図面を参照して説明する。
【００２２】
本考案に係るコード・ケーブル用リール装置は、例えば、電源接続コード、モジュラーケーブル、ＬＡＮケーブル、電源アダプターケーブル、イヤホンコード等の接続コード・ケーブル類Ｐの余長部分を巻き取って固定するための、例えば、プラスチック材製、またはアルミ等の軽金属材製等のリール装置本体１により構成されている。
【００２３】
このリール装置本体１は、図１に示すように、外側リール部２と内側リール部３とが一体となって形成されている。そして、図２（ａ）（ｂ）に示すように、外側リール部２、内側リール部３に嵌合可能とした、略小球状の止め部材１１を備えている。
【００２４】
また、図４・図５（ａ）に示すように、外側リール部２は、外部筒体２Ａの両端開口側のそれぞれに円板状の鍔部２Ｂが形成され、両鍔部２Ｂの相対向する周縁側には、止め部材１１を係止させるための環状の係止突起２Ｃを備えている。
【００２５】
さらに、外側リール部２における開口部側の鍔部２Ｂ外周端から外部筒体２Ａの略途中に至る箇所には、スリット状の割溝部４が穿設されており、外側リール部２に巻かれた接続コード・ケーブル類Ｐを途中で割溝部４を介して内側リール部３に導入させ、内側リール部３自体に接続コード・ケーブル類Ｐが巻かれるようにしてある。
【００２６】
また、図５（ａ）（ｂ）に示すように、内側リール部３は、外側リール部２の一方の鍔部２Ｂ中央が、外部筒体２Ａの開口部となって開放されており、該開口部の内底面中央には、内部筒体３Ａが立設されている。そして、内部筒体３Ａに複数の縦割溝３Ｂを設けることで、内部筒体３Ａ自体に可撓性を付与している。
【００２７】
さらに、図５（ａ）に示すように、内側リール部３における内部筒体３Ａの開口側先端外周部とこれに対向する一方の鍔部２Ｂの開口部内周縁側のそれぞれには、止め部材１１を係止させるための環状の係止突起３Ｃを備えている。
【００２８】
止め部材１１は、図２（ａ）（ｂ）に示すように、小球体の表面に接続コード・ケーブル類Ｐを挟着して保持するための平面略紡錘型の割込挿入部１２を形成し、該割込挿入部１２に接続コード・ケーブル類Ｐを２点支持によって挟着保持させると共に、接続コード・ケーブル類Ｐに止め部材１１を固定した状態で当該止め部材１１を外側リール部２および内側リール部３に嵌合させるようにしてある。こうして止め部材１１は、接続コード・ケーブル類Ｐの太さに対応可能になっている。
【００２９】
この止め部材１１の割込挿入部１２内には、図２（ｃ）に示すように、断面形状が開口側から奥部、すなわち小球体の中心に至るに従って次第に幅広となるように余白空間１３が形成されている。そして、割込挿入部１２内に挿入された接続コード・ケーブル類Ｐの周囲に余白空間１３が位置して、非接触状態となるようにしてある。
【００３０】
図３（ａ）（ｂ）には、鋳型による止め部材１１の製造方法の一例が示されている。すなわち、一端に至るに従って次第に幅広となる断面略雨滴型で、且つ平面略紡錘型となる内部鋳型１４を、一対の半球殻状の外部鋳型１５の間に配置させてから両外部鋳型１５同士を合体させる。このとき、両鋳型１４，１５間に溶融した合成樹脂材１６を流し込んでから凝固させることで、上記した形状の止め部材１１が形成される。尚、この鋳型による止め部材１１の製造方法は、本考案を何等限定するものではなく、他の製造方法を採用しても良い。
【００３１】
次に、以上のように構成された本考案の最良の形態について、使用・動作の一例を説明する。
【００３２】
まず、図２（ａ）（ｂ）に示すように、接続コード・ケーブル類Ｐの余長部分に相当した長さ部分の両端に、止め部材１１を予め挟着保持しておく。このとき、止め部材１１同士が接続コード・ケーブル類Ｐの余長部分よりも短い間隔となるように、あるいは接続コード・ケーブル類Ｐの異なる箇所をリール装置本体１に巻装させる場合には、接続コード・ケーブル類Ｐに対し挟着保持した状態で両止め部材１１自体をスライド移動させれば良い。
【００３３】
このとき、止め部材１１の割込挿入部１２内の余白空間１３は、図２（ｃ）に示すように、接続コード・ケーブル類Ｐに対し非接触状態となる。しかし、接続コード・ケーブル類Ｐは、図２（ｂ）に示すように、割込挿入部１２の開口部両端における２点支持状態となって保持される。
【００３４】
その後、図４・図５（ａ）（ｂ）に示すように、この余長部分を端部側から外側リール部２に途中まで巻き込み、割溝部４を介して内側リール部３に導入させてから内側リール部３自体にさらに巻き込ませる。このとき、外側リール部２の巻き方向と内側リール部３の巻き方向とを互いに同じ方向にしたり、あるいは逆方向にしたりしても良い。
【００３５】
そして、余長部分が巻き込まれた後に、外側リール部２と内側リール部３に止め部材１１を嵌合させることで、接続コード・ケーブル類Ｐの余長部分の両端がリール装置本体１に固定される。
【００３６】
また、外側リール部２における両鍔部２Ｂの相対向する周縁側に形成された環状の係止突起２Ｃ、および内側リール部３における内部筒体３Ａの開口側先端外周部とこれに対向する一方の鍔部２Ｂの開口部内周縁側に形成された環状の係止突起３Ｃにより、外側リール部２と内側リール部３からの止め部材１１の離脱が防止され、外側リール部２と内側リール部３に巻き込んだ接続コード・ケーブル類Ｐの解れが防止される。
【産業上の利用可能性】
【００３７】
本考案は、各種のＯＡ機器に使用される接続コード・ケーブル類の余長部分を巻き取り可能とすることで、余計なスペースを取ることがなく、しかも、手足やその他の物を引っ掛けたりすることを未然に防止できるようにした簡易な構造で且つ安価なコード・ケーブル用リール装置として、種々の接続コード・ケーブル類に広く利用されるものである。
【図面の簡単な説明】
【００３８】
【図１】本考案を実施するための最良の形態におけるリール装置本体の構成を示す斜視図である。
【図２】止め部材の構成を示すもので、（ａ）は止め部材を接続コード・ケーブル類に装着した状態の斜視図、（ｂ）は止め部材を接続コード・ケーブル類に装着した状態の平面図、（ｃ）は（ｂ）中のＸ−Ｘ線断面図である。
【図３】鋳型による止め部材の製造方法の一例を示すもので、（ａ）は内部鋳型を外部鋳型に配置した状態の縦断面図、（ｂ）は半球殻状の外部鋳型に内部鋳型を配置した状態の平面図である。
【図４】リール装置本体の使用状態を示す斜視図である。
【図５】リール装置本体の使用状態を示し、（ａ）は接続コード・ケーブル類を巻き取っているリール装置本体の縦断面図、（ｂ）は（ａ）中のＹ−Ｙ線断面図である。
【符号の説明】
【００３９】
Ｐ…接続コード・ケーブル類
１…リール装置本体                ２…外側リール部
２Ａ…外部筒体                    ２Ｂ…鍔部
２Ｃ…係止突起                      ３…内側リール部
３Ａ…内部筒体                    ３Ｂ…縦割溝
３Ｃ…係止突起                      ４…割溝部
１１…止め部材                    １２…割込挿入部
１３…余白空間                    １４…内部鋳型
１５…外部鋳型                    １６…合成樹脂材
【図１】
0003115406.tif 000003
【図２】
0003115406.tif 000004
【図３】
0003115406.tif 000005
【図４】
0003115406.tif 000006
【図５】
0003115406.tif 000007